(57)【特許請求の範囲】
【請求項１】
頂板部及びスカート部から成るキャップ本体、及び該頂板部を覆い、スカート部上端とヒンジ連結されて成る上蓋、とから成り、前記頂板部にＩＣチップ及びアンテナから成るＩＣタグが設置されているＩＣタグ付きキャップにおいて、
前記頂板部上面及び上蓋内面には、上蓋を閉じることにより互いに係止可能な係止手段がそれぞれ形成されており、
前記頂板部には、前記ヒンジの一方の端部から他方の端部に延びるスコアが形成されており、該スコアで区画される領域に前記係止手段が形成されていると共に、スコアがＩＣタグのアンテナをまたいでおり、
閉蓋状態から前記上蓋を引き上げることにより、前記スコアが破断され、スコアで区画される領域が上蓋と一体にキャップ本体から離脱すると共に、前記ＩＣタグのアンテナが破断されることを特徴とするＩＣタグ付きキャップ。
【請求項２】
前記ＩＣタグが、インサート成形により頂板部に埋設されている請求項１記載のＩＣタグ付きキャップ。
【請求項３】
前記スコアがヒンジの両端部から更にスカート部下方に延びている請求項１又は２記載のＩＣタグ付きキャップ。
【請求項４】
前記係止手段が、前記頂板部外面から垂直方向に延び、先端に外方に向くフラップ片を有する第一の係止手段と、前記上蓋内面から垂直方向に延び、先端に内方に向くフラップ片が形成されている第二の係止手段から成り、上蓋が閉じた状態で、第一の係止手段のフラップ片と第二の係止手段のフラップ片が係止する請求項１〜３の何れかに記載のＩＣタグ付きキャップ。
【請求項５】
前記ＩＣタグには、スコアで区画された領域及びスコアで区画された領域外の両方に、孔が形成されており、該孔が頂板部を構成する樹脂によって閉塞されてＩＣタグが頂板部内で固定されている請求項１〜４の何れかに記載のＩＣタグ付きキャップ。
【請求項６】
前記ＩＣタグに弱化部が形成されている請求項１〜５の何れかに記載のＩＣタグ付きキャップ。
【請求項７】
前記キャップ本体のスカート部下端には、可撓性連結部を介して筒状側壁が形成されており、該筒状側壁の下端には複数の係合部が形成されており、
前記筒状側壁を容器口部に嵌合させた後、上蓋が閉じた状態のキャップ本体を容器側に押圧することにより、前記可撓性連結部が反転して、キャップ本体スカート部内面と筒状側壁外面の間に位置することにより容器口部に固定される請求項１〜６の何れかに記載のヒンジキャップ。
【発明の詳細な説明】
【技術分野】
【０００１】
本発明は、開封検知用ＩＣタグ付きヒンジキャップに関するものであり、より詳細には、開封時にＩＣタグのアンテナが確実に破断されるワンピースタイプのＩＣタグ付きヒンジキャップに関する。
【背景技術】
【０００２】
従来より、不正な詰め替えやいたずらを防止してその安全性や品質を確保するために、開封履歴を明示する機能を有するキャップが種々提案されている。
近年、製造年月日や製造・販売者等の製品情報を表示するためにＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナと共に樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点があることから、かかるＩＣタグを開封履歴明示に用いることも提案されている。
【０００３】
このようなＩＣタグを備えて成る容器蓋も既に提案されており、例えば下記特許文献１には、容器を密封可能な内蓋及び内蓋を外側から覆う外蓋、並びに外蓋の頂板部を覆い内面から下方に延びる突部を有する上蓋から成っている容器蓋において、上蓋に形成された突部先端が外蓋の頂板部に形成された開口部を覆うように設置されたＩＣタグが、頂板部内面及び突部先端で固着されており、上蓋をキャップ本体から取外すことにより、ＩＣチップの直近でアンテナが破断されることを特徴とする容器蓋が提案されている。
また下記特許文献２には、キャップ本体頂板部に形成されたＩＣタグを上蓋に設けられた、上蓋の開蓋操作に伴って移動するカッターによってＩＣタグの回路を切断するＩＣタグ付きキャップが提案されている。
【先行技術文献】
【特許文献】
【０００４】
【特許文献１】特開２０１１−２１３３７８号公報
【特許文献２】特開２０１４−１１４０６６号公報
【発明の概要】
【発明が解決しようとする課題】
【０００５】
上記特許文献１に記載されたＩＣタグ付き容器蓋は、ＩＣタグのアンテナを破壊しなければ開封することができず、しかもキャッピングの際にＩＣタグが破断するおそれがなく、確実に開封されたことを検知することができる。しかしながら、このＩＣタグ付き容器蓋は、ＩＣタグが外蓋のキャップ本体頂板部内面及び上蓋の突部先端の両方に強固に固着または接着させる技術工程が必須であり、未だ十分満足するものではない。
また上記特許文献２に記載されたＩＣタグ付キャップは、ワンピースタイプのキャップであり、成形性の点で優れている。しかしながら、このＩＣタグ付きキャップは、上蓋に設けられたにカッターでＩＣタグのアンテナを切断するものであることから、カッターの刃がアンテナを避けてしまうと、開封検知機能が発揮されないおそれがあり、カッターを使用しないでアンテナを破断する方法が望まれている。
【０００６】
従って本発明の目的は、ワンピースタイプで成形性に優れていると共に、カッターなどの切断手段を用いることなく、開封と同時にアンテナが確実に切断可能なＩＣタグ付きキャップを提供することである。
【課題を解決するための手段】
【０００７】
本発明によれば、頂板部及びスカート部から成るキャップ本体、及び該頂板部を覆い、スカート部上端とヒンジ連結されて成る上蓋、とから成り、前記頂板部にＩＣチップ及びアンテナから成るＩＣタグが設置されているＩＣタグ付きキャップにおいて、
前記頂板部上面及び上蓋内面には、上蓋を閉じることにより互いに係止可能な係止手段がそれぞれ形成されており、前記頂板部には、前記ヒンジの一方の端部から他方の端部に延びるスコアが形成されており、該スコアで区画される領域に前記係止手段が形成されていると共に、スコアがＩＣタグのアンテナをまたいでおり、閉蓋状態から前記上蓋を引き上げることにより、前記スコアが破断され、スコアで区画される領域が上蓋と一体にキャップ本体から離脱すると共に、前記ＩＣタグのアンテナが破断されることを特徴とするＩＣタグ付きキャップが提供される。
【０００８】
本発明のＩＣタグ付きキャップによれば、
１．前記ＩＣタグが、インサート成形により頂板部に埋設されていること、
２．前記スコアがヒンジの両端部から更にスカート部下方に延びていること、
３．前記係止手段が、前記頂板部外面から垂直方向に延び、先端に外方に向くフラップ片を有する第一の係止手段と、前記上蓋内面から垂直方向に延び、先端に内方に向くフラップ片が形成されている第二の係止手段から成り、上蓋が閉じた状態で、第一の係止手段のフラップ片と第二の係止手段のフラップ片が係止すること、
４．前記ＩＣタグには、スコアで区画された領域及びスコアで区画された領域外の両方に、孔が形成されており、該孔が頂板部を構成する樹脂によって閉塞されてＩＣタグが頂板部内で固定されていること、
５．前記ＩＣタグに弱化部が形成されていること、
６．前記キャップ本体のスカート部下端には、可撓性連結部を介して筒状側壁が形成されており、該筒状側壁の下端には複数の係合部が形成されており、前記筒状側壁を容器口部に嵌合させた後、上蓋が閉じた状態のキャップ本体を容器側に押圧することにより、前記可撓性連結部が反転して、キャップ本体スカート部内面と筒状側壁外面の間に位置することにより容器口部に固定されること、
が好適である。
【発明の効果】
【０００９】
本発明のＩＣタグ付きキャップによれば、上蓋内面及び頂板部上面に形成された互いに係止可能な係止手段が形成されていることによって、上蓋を引き上げたときに、スコアで区画された頂板部の一部が上蓋に追従して上昇する。これにより、ＩＣタグのアンテナをまたぐスコアが破断され、カッター等の切断手段を用いることなくＩＣタグのアンテナを確実に切断することが可能になる。またかかるスコアがヒンジ両端部からスカート部下方に延びていることにより、上蓋の引き上げによるＩＣタグのアンテナの破断と、キャップの容器口部からの取り外しを一連の動作で容易に行うことが可能であり、開封性及び分別廃棄性にも優れている。
更に本発明のキャップは、キャップ本体の頂板部にＩＣタグが埋設されたワンピースタイプのキャップであることにより、複数の部品から成り、組み立てが必要な従来のＩＣタグ付きキャップに比して成形が容易である。
【００１０】
またＩＣタグに、キャップ本体に形成されたスコアで区画される領域とこの領域外の両方の位置に孔が形成されていることによって、この孔を通じて頂板部を構成する樹脂が連通していることから、スコアで区画される領域が上蓋に追従して引き上げられても、スコアで区画される領域外の部分はキャップ本体に固定された状態を維持し、ＩＣタグのアンテナの破断が確実に行われる。
更に本発明のより好適な態様によれば、キャップ本体のスカート部下端に、可撓性連結部を介して筒状側壁が形成されていることにより、打栓時に無理な嵌め込みの必要がなく、キャップを容器口部にスムーズに適用させることが可能になり、キャッピングの際に容器口部に傷をつけるおそれがない。
【図面の簡単な説明】
【００１１】
【図１】本発明のＩＣタグ付きヒンジキャップの一例を示す図であり、上蓋を閉じる前の状態を２方向から見た斜視図をそれぞれ表す。
【図２】図１に示したＩＣタグ付きヒンジキャップを説明するための図であり、（Ａ）は上蓋を閉じた状態の断面図であり、（Ｂ）は（Ａ）の状態から上蓋を引き上げた状態の断面図であり、（Ｃ）は（Ａ）のＸ部分の拡大図であり、（Ｄ）はＩＣタグの一例の平面図である。
【図３】図１に示したＩＣタグ付きキャップの係止手段を説明するための図である。
【図４】本発明のＩＣタグ付きヒンジキャップの他の一例を示す図であり、上蓋を閉じる前の状態を２方向から見た斜視図をそれぞれ表す。
【図５】図４に示した斜視図の断面斜視図をそれぞれ示す。
【図６】図４に示したＩＣタグ付きキャップの上蓋を閉じた状態の断面斜視図をそれぞれ示す。
【図７】図４〜６に示した本発明のＩＣタグ付きキャップの容器口部への適用を説明するための断面図であり、（Ａ）は打栓前の状態、（Ｂ）は打栓後の状態、（Ｃ）は(Ａ)のＹ部分の部分拡大図、（Ｄ）は（Ｂ）のＺ部分の部分拡大図、をそれぞれ示す。
【図８】図４〜６に示した本発明のＩＣタグ付きキャップの容器口部への適用を説明するための断面斜視図である。
【図９】図４〜６に示した本発明のＩＣタグ付きキャップの開蓋操作を説明するための図である。
【発明を実施するための形態】
【００１２】
本発明を添付図面に基づいて説明する。
図１及び図２に示すように、本発明のＩＣタグ付きキャップ１は、概略的に言って、キャップ本体１０、及びキャップ本体１０とヒンジ１１によって一体に成形されている上蓋２０、並びにキャップ本体１０の頂板部２に埋設されるＩＣタグ３０から成っている。
キャップ本体１０は、頂板部２、頂板部２の外周縁からから垂下するスカート部３から成り、頂板部２の上面の中央付近には、後述する上蓋２０の第二の係止手段２３と上蓋２０を閉じた状態で係止する第一の係止手段４が形成されている。また頂板部２には、この第一の係止手段４を取り囲み、且つヒンジ１１の両端１１ａ，１１ｂに延びるスコア５ａ，５ｂが頂板部２の外面及び内面の両方から形成されている。
また頂板部２のヒンジ１１の反対側の端部には、上蓋２０を閉じたときに上蓋２０を固定するための係合部６が形成されている。
またスカート部３の下端内面には、図２から明らかなように、容器口部（図示せず）の係合用突起と係合し、キャップ本体がすっぽ抜けることを防止するための複数の係合用突片７，７・・・が形成されている。またスカート部３外面にはヒンジ１１の両端部１１ａ，１１ｂから下方に延びるスコア８ａ，８ｂが形成されている。
【００１３】
上蓋２０は、天面２１及び天面２１の外周縁から延びる環状側壁２２から成り、前述したとおり、キャップ本体頂板部２とヒンジ１１により一体に成形されている。上蓋２０の天面２１の内面には、前述したキャップ本体１０の頂板部２に設けられた第一の係止手段４と係止する第二の係止手段２３が形成されている。また上蓋２０の環状側壁２２のヒンジ１１の反対側の位置には、外面側に開蓋のための摘み２４、内面側にはキャップ頂板部２に形成された係合部６と係合する係合突起２５が形成されている。
【００１４】
図２（Ａ）〜（Ｃ）から明らかなように、本発明のＩＣタグ付きキャップにおいては、キャップ本体頂板部２内にＩＣタグ３０が埋設されている。後述するように、このＩＣタグ３０は、キャップを成形する際に頂板部となるべき部分に埋め込まれ、ＩＣタグ３０は外部に露出していないので、上蓋を閉じる際等にＩＣタグが破損してしまうことが有効に防止されている。
ＩＣタグ３０は、これに限定されるものではないが、図２（Ｄ）に示す具体例においては、円形状の薄肉の基材３１、記録媒体を有するＩＣチップ３２、ＩＣチップ３２に接続されている情報送受信用のアンテナ３３から成っている。
図２（Ｄ）においては、参考のため、頂板部２に形成される第一の係止部材４の位置４’が表示されており、この第一の係止部材の位置４’を区画内に包含すると共に、アンテナ３３をまたぐ形状の弱化部３４が基材３１に形成されている。またこの弱化部３４よりも外側の領域に複数個の孔３５ａ，３５ａ・・・が形成され、弱化部３４よりも内側の領域に２個の孔３５ｂが形成されており、この孔３５を通じて頂板部２を構成する樹脂が連通して、ＩＣタグ３０は頂板部２から分離できない固定された状態でインサート成形される。そのため、上蓋２０を引き上げ、頂板部２に形成されたスコア５が破断されると同時に弱化部３４も破断されると、ＩＣタグ３０の弱化部３４の外側の領域が、弱化部３４の内側の領域に追従して頂板部２から引き抜かれたりするようなことがなく、上蓋２０の開蓋時の引き上げと同時に確実にＩＣタグ３０のアンテナ３３が破断される。
【００１５】
図３は、図１に示した第一の係止部材及び第二の係止部材を説明するための図であり、キャップ本体１０の頂板部２に形成された第一の係止部材４は、頂板部２の外面から垂直方向に延びる基部４ａの先端に、上方にむかって外方に向く一対の可撓性の第一のフラップ片４ｂ，４ｂが形成されている（図３（Ａ））。一方上蓋２０に形成される第二の係止部材２３は、上蓋２０の天面２１の内面から垂直方向に延びるコの字状の基部２３ａの先端に、下方にむかって内方に向く一対の可撓性の第二のフラップ片２３ｂ，２３ｂが形成されている（図３（Ａ））。基部２３ａの内寸は、第二の係止部材４の基部４ａの外寸よりも若干大きく、基部２３ａの内部に第一の係止部材４が収納されると共に、基部２３ａ内で第一のフラップ片４ｂ及び第二のフラップ片２３ｂがそれぞれ折りたたまれて収納される大きさである。これにより、上蓋２０が閉じて、基部２３ａ内部に第一の係止部材４が収納されると共に、各々のフラップ片が反転し、第一の係止部材４の第一のフラップ片４ｂ，４ｂの先端が下方に向き、同時に第二の係止部材２３の第二のフラップ片２３ｂ，２３ｂの先端が上方に向いた状態になる（図３（Ｂ））。この状態から上蓋２０を引き上げると、第二の係止部材２３の第二のフラップ片２３ｂが、第一の係止部材の第一のフラップ片４ｂと係止し、第一の係止部材４の第一のフラップ片４ｂは第二の係止部材２３の基部２３ａによって、元の状態に戻ることが規制されていることから、第一フラップ片４ｂと第二のフラップ片２３ｂの係止は解除されることがない。
そのため上蓋が閉じ、いったん第一の係止部材と第二の係止部材が係止すると、これらの係止は解除されることなく維持されるので、上蓋を引き上げると、キャップ本体に形成されたＩＣタグのアンテナをまたぐスコアが破断されてＩＣタグのアンテナが破断されると共に、スコアで区画された頂板部及びＩＣタグの一部が上蓋と共にキャップ本体から離脱して、開封されたことを確実に示すことが可能になる。
【００１６】
図４〜６は、本発明のＩＣタグ付きキャップの他の態様を示す図であり、この態様においては、前述したキャップ本体１０のスカート部３の下端に、複数個の短冊状の可撓性連結部４０、４０・・・を介して筒状側壁５０が形成されている。
筒状側壁５０の下端には、容器口部（図示せず）の係合用突起と係合可能な内方に突出する複数個の係合用突起５１が形成されている。この係合用突起５１は筒状側壁５０の下端を軸に筒状側壁内方に移動可能であり、後述するように、図４〜６に示した状態で容器口部に嵌合させる際には、外方に向いた状態で、容器口部にスムーズに嵌合できる一方、打栓後、キャップ本体が筒状側壁の外側に位置する状態では、キャップ本体スカート部によって内方に向いた状態となり、容器口部の係合用突起と係合して、キャップが容器口部からすっぽ抜けることを防止する。
また筒状側壁５０の内面の上端には、打栓する際に、筒状側壁５０を容器口部に固定して下方への移動を制御する、容器口部天面に載置可能な複数個の固定具５２，５２・・・が形成されている。
【００１７】
図７及び図８は、図４〜６に示した本発明のＩＣタグ付きキャップの容器口部への適用を説明するための図である。
図７（Ａ）及び図８（Ａ）から明らかなように、容器口部６０に筒状側壁５０を嵌め込むと、容器口部６０の天面６１に筒状側壁５０の固定具５２が当接し、筒状側壁５０が容器口部６０に固定される。この際、図７（Ａ）のＹ部分の拡大図である図７（Ｃ）から明らかなように、筒状側壁５０下端に形成された係合用突起５１は、外方に向いた状態なので、環状側壁５０は容器口部６０にスムーズに嵌合する。
次いで、上蓋２０が閉じられた状態のキャップ本体１０が上方から押圧されると、図８（Ｂ）に示すように、可撓性連結部４０が外方に座屈した状態になる（図８（Ｂ））。更に押圧されてキャップ本体１０のスカート部３の下端から筒状側壁５０に重なっていくに従って、可撓性連結部４０は、図８（Ａ）の状態から上端と下端が入れ替わり、表裏が反転するように移動し（図８（Ｃ）及び（Ｄ））、最終的にはキャップ本体スカート部３と筒状側壁の間に位置する（図７（Ｂ）及び図８（Ｅ））。この状態において、図７（Ｄ）に示すように、スカート部３の下端と係合用突起５１の下端はほぼ一致する位置となり、係合用突起５１はスカート部３及び可撓性連結部４０によって外側からタガ締めされて、内方に移動し、容器口部の係合用突起６２と係合する。これにより、ＩＣタグ付きキャップが容器口部からすっぽ抜けることがない。
尚、この態様においては、キャップ本体１０の頂板部２の内面側の外周には、打栓時に容器口部天面６１と当接する部材９，９が形成されている。これによりＩＣタグに打栓時の衝撃が直接作用することが防止され、ＩＣタグの破損を防止することができる。
【００１８】
次に、容器口部に適用された、図４〜８に示した本発明のＩＣタグ付きキャップの開蓋操作を図９に従って説明する。
図９(Ａ)は、ＩＣタグ付きキャップ１が容器口部６０に適用された状態を示す図であり、上蓋２０の摘み２４を上方に引き上げることにより、上蓋２０はヒンジ１１を軸に上昇する。図６に示した通り、閉蓋状態において、キャップ本体頂板部に形成された第一の係止部材４と上蓋２０に形成された第二の係止部材２３は、解除不可能に係止していることから、上蓋２０の上昇に伴い、図４に示した通り、キャップ本体頂板部２に形成されたスコア５が破断されて、スコア５で区画される頂板部２ａ及びこの頂板部２ａ内に埋設されたＩＣタグ（図示せず）が、スコア５で区画される領域外の頂板部２ｂから分離する（図９（Ｂ））。更に上蓋２０を引き上げると、スコア５と連続するようにヒンジ１１の両側から下方に向かって延びる、スカート部３に形成されたスコア８が破断されて、スコア８で区画されるスカート部３ｂがスカート部３ａと分離する（図９（Ｃ））。更に上蓋２０を引き上げると、可撓性連結部４０が筒状側壁５０外面から離脱する（図９（Ｄ））。この状態において、可撓性連結部４０が離脱した部分における筒状側壁５０の係合用突起５１は外側からのタガ締めから解放され、図７（Ｃ）に示した状態になることから、容器口部６０の係合用突起６２との係合が解除され、キャップ１を容器口部６０から容易に取り外すことが可能になる。
尚、上記説明において、容器口部とは、容器に内容物が充填され、金属キャップ等で密封された状態の容器口部を示す。
【００１９】
本発明のＩＣタグ付きキャップにおいては、図に示した具体例に限定されず、種々の変更が可能である。
例えば、キャップ本体頂板部上面及び上蓋内面に形成された第一の係止部材及び第二の係止部材は、上蓋を閉じた状態で係止し、係止後は係止を解除できないものであれば種々の形態のものを採用できる。
また図に示した具体例では、複数の短冊状の可撓性連結部材により、キャップ本体及び筒状側壁を連結していたが、座屈のさせやすさの点からは図に示す例が好適であるが、環状の可撓性連結部材であってもよい。更に、キャップ本体頂板部内面外周に形成されていた、容器天面と当接する複数個の部材は環状の部材であってもよいし、打栓に用いる装置によっては必ずしも必要ではなく、また筒状側壁の上端に形成されていた固定具も、筒状側壁下端を固定できれば、必ずしも設ける必要はない。
更に、頂板部に形成するスコアも、頂板部の内外面の両方から形成されていたが、上面のみから形成することもできる。
【００２０】
更に、図に示した具体例では、ＩＣタグにもスコアに対応する弱化部が形成されていたが、ＩＣタグの基材の材質や厚み等によって切断されやすい基材である場合には必ずしも形成する必要はない。
またＩＣタグに形成する孔も、図に示す具体例では、スコアで区画される領域の内外に形成されていたが、スコアで区画される領域外のみに形成してもよいし、或いはＩＣタグにスコアに対応する弱化部が形成されている場合や、ＩＣタグの基材の材質がキャップの材質との接着性に優れている場合などは、必ずしも形成しなくてもよい。
【００２１】
本発明のＩＣタグ付きキャップは、射出成形により好適に成形することができ、ＩＣタグをインサート成形により頂板部に埋設することによって、ＩＣタグが外部から視認することができず、破損のおそれもないＩＣタグ付きキャップを容易に成形することができる。
キャップ本体を構成する樹脂としては、従来ヒンジキャップに使用されていたポリエチレン、ポリプロピレン等を使用することができる。
尚、本発明のＩＣタグ付きキャップを、添付図面を用いて、ＩＣタグが頂板部に埋設された好適態様で説明したが、ＩＣタグが頂板部外面に強固に貼着され、頂板部に形成されるスコアの破断によってＩＣタグのアンテナが破断可能であれば、ＩＣタグが頂板部外面に貼着されたものであっても同様の作用効果を得ることができる。例えば、ＩＣタグにも頂板部に形成されるスコアと同様のスコアを形成し、頂板部のスコアの破断と同時にＩＣタグも破断されることよってアンテナを確実に破断することが可能になる。
【産業上の利用可能性】
【００２２】
本発明のＩＣタグ付きキャップは、開封と同時に確実にＩＣタグが破壊されるため、内容物の詰め替えやいたずらを確実に防止でき、特に正規の内容品に対して廉価な内容品を詰め替え販売する犯罪が発生している高級アルコール類のキャップに好適に利用できる。
また本発明のＩＣタグ付きキャップは、容器口部に直接適用することもできるし、容器口部に施されたキャップの上からオーバーキャップとして適用することもできる。
【符号の説明】
【００２３】
１  ＩＣタグ付きキャップ、２  頂板部、３  スカート部、４  第一の係止部材、５  スコア、８  スコア、１０  キャップ本体、１１  ヒンジ、２０  上蓋、２３  第二の係止部材、３０  ＩＣタグ、３１  基材、３２  ＩＣチップ、３３  アンテナ、４０  可撓性連結部材、５０  筒状側壁、５１  係合用突起、６０  容器口部  ６２  係合用突起。
【図１】
0006426517.tif 000002
【図２】
0006426517.tif 000003
【図３】
0006426517.tif 000004
【図４】
0006426517.tif 000005
【図５】
0006426517.tif 000006
【図６】
0006426517.tif 000007
【図７】
0006426517.tif 000008
【図８】
0006426517.tif 000009
【図９】
0006426517.tif 000010